(57)【要約】  型成型が容易で、迅速に型成型を行うことができ、製作コストを低減することができる３次元方向へ連設可能なブロック玩具及びその製造方法を提供する。６面体からなり、相互に係合して連設可能に形成されているブロック玩具であって、各面部には複数の凸部と凹部とが設けられ、上記凹部は上記凸部に対して上方、下方及び左右方向に隣接する部位に形成されると共に上記凹部は上記凸部を収納可能な大きさに形成され、上記凸部及び凹部は、互いに対向する２面において互いに逆位相に配置され、型成型により作製されている。
2008032434.tif 000002
【特許請求の範囲】
【請求項１】
６面体からなり、相互に係合して連設可能に形成されているブロック玩具であって、各面部には複数の凸部と凹部とが設けられ、上記凹部は上記凸部に対して上方、下方及び左右方向に隣接する部位に形成されると共に上記凹部は上記凸部を収納可能な大きさに形成され、型成型により作製されていることを特徴とするブロック玩具。
【請求項２】
二対の側方対向面が上下２段の凸部を有し、上型により上段の凸部が作製されると共に下型により下段の凸部が作製され、上段の凸部と下段の凸部との間で上型と下型とが分離して成形されるように型成型で作製されることを特徴とする請求項１記載のブロック玩具。
【請求項３】
上記上下２段の凸部は、凹部を介して側面方向に対向して設けられた一対の凸部と、上記凹部に対して上下方向に隣接して設けられた他の凸部とを含むことを特徴とする請求項２記載のブロック玩具。
【請求項４】
二対の側方対向面に上下方向における３段の凸部を有するブロック玩具であって、上型及び下型を使用した型成型により作製された２つのブロック玩具構成体を接合して形成されていることを特徴とする請求項１記載のブロック玩具。
【請求項５】
上記２つのブロック玩具構成体の内、一方のブロック玩具構成体は上下２段の凸部を有する二対の側方対向面を備えると共に、他方のブロック玩具構成体は上下１段の凸部を有する二対の側方対向面を備えていることを特徴とする請求項４記載のブロック玩具。
【請求項６】
一対の側方対向面の一方において、上記上下方向における３段の凸部が、上下方向に沿って設けられた２つの凹部の両側方に夫々配置された一対の凸部と、上記凹部に上下方向において隣接して配置された凸部とを有し、
上記一対の側方対向面の他方において、上記上下方向における３段の凸部が、上下方向に沿って設けられた２つの凸部と、上記２つの凸部の上下方向において隣接して配置された凹部と、上記凹部の左右方向に隣接する凸部とを有することを特徴とする請求項５記載のブロック玩具。
【請求項７】
上記２つのブロック玩具構成体は、夫々、１段目の凸部及び２段目の凸部の上下方向における半部を有する二対の側方対向面を備えていることを特徴とする請求項４記載のブロック玩具。
【請求項８】
上記上下方向における３段の凸部は、中段部において凹部を介して側面方向に対向して設けられた一対の凸部と、上記凹部に上下方向に隣接して設けられ、互いに対向する他の一対の凸部とを含むことを特徴とする請求項７記載のブロック玩具。
【請求項９】
二対の側方対向面に上下方向に４段の凸部を有するブロック玩具であって、上型及び下型を使用した型成型により作製された２つのブロック玩具構成体を接合して形成されていることを特徴とする請求項１記載のブロック玩具。
【請求項１０】
上記２つのブロック玩具構成体は、夫々、２段の凸部を有する一対の側方対向面を備えていることを特徴とする請求項９記載のブロック玩具。
【請求項１１】
上記上下方向における４段の凸部は、凹部を介して側面方向に対向して設けられた一対の凸部と、上記凹部に対して上下方向に隣接して設けられた凸部と、上記凸部に対して上下方向に隣接して設けられる凹部を介して側面方向に対向して設けられた一対の凸部と、上記凹部に対して上下方向に隣接して設けられた凸部を含むことを特徴とする請求項９又は１０のいずれか１項に記載のブロック玩具。
【請求項１２】
上記凸部及び凹部は方体に形成されていることを特徴とする請求項１〜１２のいずれか１項に記載のブロック玩具。
【請求項１３】
上記凸部及び凹部は同一の寸法の立方体に形成されていることを特徴とする請求項１２記載のブロック玩具。
【請求項１４】
上記相互に隣接する凸部の間には間隙部が形成されていることを特徴とする請求項１２若しくは１３いずれか１項に記載のブロック玩具。
【請求項１５】
上記凸部は多角柱状に形成されていることを特徴とする請求項１〜１１いずれか１項に記載のブロック玩具。
【請求項１６】
上記凸部は、三角柱状に形成されていることを特徴とする請求項１５記載のブロック玩具。
【請求項１７】
上記凸部は、五角柱状に形成されていることを特徴とする請求項１５記載のブロック玩具。
【請求項１８】
上記凸部は、六角柱状に形成されていることを特徴とする請求項１５記載のブロック玩具。
【請求項１９】
上記凸部は、八角柱状に形成されていることを特徴とする請求項１５記載のブロック玩具。
【請求項２０】
上記凸部は、円柱状に形成されていることを特徴とする請求項１〜１１いずれか１項に記載のブロック玩具。
【請求項２１】
上記二対の側方対向面に形成された凸部は、上方に向かって膨出する略円弧状の横断面形状の上部を有する柱状、及び下方に向かって膨出する略円弧状の横断面形状の下部を有する柱状に形成されていることを特徴とする、請求項２記載のブロック玩具。
【請求項２２】
上記凸部は上下２段に形成され、上方側凸部は上方に向かって膨出する略円弧状の横断面形状の上部を有する柱状に形成されると共に、下方側凸部は下方に向かって膨出する略円弧状の横断面形状の下部を有する柱状に形成されることを特徴とする、請求項２１記載のブロック玩具。
【請求項２３】
上記凸部は上下３段に形成され、上方側凸部は上方に向かって膨出する略円弧状の横断面形状の上部を有する柱状に形成されると共に、下方側凸部は下方に向かって膨出する略円弧状の横断面形状の下部を有する柱状に形成され、中段は方体に形成されていることを特徴とする、請求項２１記載のブロック玩具。
【請求項２４】
上記凸部は上下４段に形成され、上方側凸部は上方に向かって膨出する略円弧状の横断面形状の上部を有する柱状に形成されると共に、下方側凸部は下方に向かって膨出する略円弧状の横断面形状の下部を有する柱状に形成され、中段２列は方体に形成されていることを特徴とする、請求項２１記載のブロック玩具。
【請求項２５】
上記ブロック玩具の上面部及び下面部に形成された凸部は、円柱状に形成されていることを特徴とする、請求項１〜２４いずれか１項に記載のブロック玩具。
【請求項２６】
上記ブロック玩具の上面及び下面部に形成されている凹部と、上記二対の側方対向面に形成された凸部の、略円弧状の横断面形状を有する面の対向面には、上下方向に円筒状空隙が設けられていることを特徴とする、請求項１〜２５いずれか１項記載のブロック玩具。
【請求項２７】
上記ブロック玩具の上面部及び下面部に形成された凸部には、上下方向に貫通孔部が設けられていることを特徴とする請求項１〜２６いずれか１項記載のブロック玩具。
【請求項２８】
上記ブロック玩具は、合成樹脂により形成されていることを特徴とする、請求項１〜２７いずれか１項記載のブロック玩具。
【請求項２９】
上記合成樹脂は、ＡＢＳ樹脂であることを特徴とする請求項２８記載のブロック玩具。
【請求項３０】
上記合成樹脂は、スチロール樹脂であることを特徴とする請求項２８記載のブロック玩具。
【請求項３１】
上記合成樹脂は、ポリエチレン樹脂であることを特徴とする請求項２８記載のブロック玩具。
【請求項３２】
上記合成樹脂は、ポリプロピレン樹脂であることを特徴とする請求項２８記載のブロック玩具。
【請求項３３】
上型と下型とにより、６面体であって、側方面に上下２段の凸部を有するブロック玩具を製造するブロック玩具の製造方法であって、二対の側方対向面が上下２段の凸部を有し、上型により上段の凸部が作製されると共に下型により下段の凸部が作製され、上段の凸部と下段の凸部との間で上型と下型とが分離して成形されるように型成型で作製されることを特徴とするブロック玩具の製造方法。
【請求項３４】
上記ブロック玩具は相互に係合して連設可能に形成され、各面部には複数の凸部と凹部とが設けられ、上記凹部は上記凸部に対して上方、下方及び左右方向に隣接する部位に形成されると共に上記凹部は上記凸部を収納可能な大きさに形成されていることを特徴とする請求項３３記載のブロック玩具の製造方法。
【請求項３５】
側方面に上下２段の凸部を有するブロック玩具構成体及び側方面に上下１段以上の凸部を有するブロック玩具構成体を接合することにより側方面に上下方向に３段以上の凸部を有するブロック玩具を作製することを特徴とする請求項３３記載のブロック玩具の製造方法。
【発明の詳細な説明】
【技術分野】
【０００１】
本発明はブロック玩具及びその製造方法に係り、特に、３次元方向へ連設して多様な形象を形成することができるブロック玩具及びその製造方法に関する。
【背景技術】
【０００２】
従来より、様々なブロック玩具が製造販売されている。このような従来のブロック玩具は、例えば、直方体の合成樹脂製のブロック玩具の構成体の上面部のみに複数の凸部が形成されており、この凸部が形成されている面の方向にのみ他の構成体を接続して連設し、柱、橋等の様々な形象を形成するように構成されていた。【０００３】
このような従来のブロック玩具にあっては、連設方向は凸部が形成されている面方向にのみ限定されることから、このような不具合を解消すべく３次元方向へ連設可能に形成されたブロック玩具が提案されていた（特許文献１〜４）。
【発明の開示】
【発明が解決しようとする課題】
【０００４】
しかしながら、このような従来のブロック玩具にあっては、いずれも略立法体に形成されたブロック玩具の構成体本体に形成された凸部は、構成体の幅方向において複数列に形成されている。【０００５】
従って、このような従来のブロック玩具にあっては、ブロック玩具全体を型成型で作成する際には、構成体の各面において複数段の凸部を有することから、１回の型抜きでは成型することが不可能であり、非常に複雑な成型工程を要し、結果的に、製作コストが嵩む、という不具合が存していた。【０００６】
また、型製作によらない場合には、立方体からなるブロック玩具本体へ多数の凸部を植設することにより形成する必要があり、作製作業が非常に煩雑となる。
さらに、上記以外の方法により作製する場合には、別途作成された多数の凸部を設けたブロック玩具本体の各面構成部をブロック玩具本体の各面毎に固定することにより形成する必要がある。【０００７】
従って、上記いずれの製作方法によった場合であっても、３次元方向へ連設可能なブロック玩具を製作する場合には、製作に多数の工程を要し、製作コストが嵩む、という問題点があった。  【０００８】
【特許文献１】特許出願公告昭５０−３４９８０号
【特許文献２】実用新案出願公告昭４９−３９５９３号
【特許文献３】公開実用新案昭和５４−９４５９７号
【特許文献４】特開２００１−１２０８５０号
【０００９】
そこで本発明の技術的課題は、型成型が容易で、迅速に型成型を行うことができ、製作コストを低減することができる３次元方向へ連設可能なブロック玩具及びその製造方法を提供することにある。
【課題を解決するための手段】
【００１０】
上記課題を解決するために、請求項１記載の発明にあっては、６面体からなり、相互に係合して連設可能に形成されているブロック玩具であって、各面部には複数の凸部と凹部とが設けられ、上記凹部は上記凸部に対して上方、下方及び左右方向に隣接する部位に形成されると共に上記凹部は上記凸部を収納可能な大きさに形成され、型成型により作製されていることを特徴とする。【００１１】
従って、請求項１記載の発明にあっては、複数の上記ブロック玩具の凸部及び凹部が互いに係合するように接合させることにより、６面夫々の方向へ連続して連設することができる。また、請求項１記載のブロック玩具は型成型により作製される。【００１２】
請求項２記載の発明にあっては、二対の側方対向面が上下２段の凸部を有し、上型により上段の凸部が作製されると共に下型により下段の凸部が作製され、上段の凸部と下段の凸部との間で上型と下型との間において上型と下型とを分離させて成形されるように作製されることを特徴とする。
従って、請求項２記載の発明にあっては、上下の型により製造されるブロック玩具の側方面を形成する二対の側方対向面が上下２段の凸部を有することから、型成型する場合には、上下２段の凸部の、上方の凸部を上方の型により成型し、下方の凸部を下方の型により成型して上方の型と下方の型とを、上下２段の凸部の間で上型と下型とが分離されて型成形されることにより、１回の型成型で製作することができる。【００１３】
請求項３記載の発明にあっては、上記上下２段の凸部は、凹部を介して側面方向に対向して設けられた一対の凸部と、上記凹部に対して上下方向に隣接して設けられた他の凸部とを含むことを特徴とする。【００１４】
請求項４記載の発明にあっては、二対の側方対向面に３段の凸部を有するブロック玩具であって、上型及び下型を使用した型成型により作製された２つのブロック玩具構成体を接合して形成されていることを特徴とする。
また、請求項５記載の発明にあっては、上記２つのブロック玩具構成体の内、一方のブロック玩具構成体は２段の凸部を有する二対の側方対向面を備えると共に、他方のブロック玩具構成体は１段の凸部を有する二対の側方対向面を備えていることを特徴とする。【００１５】
３段の凸部を有するブロック玩具の場合には、例えば、３段の凸部を構成する上下左右の４つの凸部の間に凹部が形成される面が形成されることから、２段の凸部を有する場合とは異なり、上方の型及び下方の型により、夫々の段を形成する凸部を有する構成部位を型成型した後に、夫々の型を上方及び下方へ離間させて型抜きを行うという、上記上下２段の凸部を有する場合の型成型を実行することができない。【００１６】
しかしながら、本願発明にあっては、例えば、上下方向に２段の凸部を有する一方のブロック玩具構成体と、１段の凸部を有する他方のブロック玩具構成体を、上記同様の型成型によって準備し、これらのブロック玩具構成体を相互に接着等の手段により接合することによって、側方対向面に３段の凸部を有するブロック玩具を形成することができる。【００１７】
従って、請求項４及び５記載の発明にあっては、２つのブロック構成体を接合することによって、上下方向に３段の凸部を有するブロック玩具を形成することができる。
請求項６記載の発明にあっては、一対の側方対向面の一方において、上記上下方向における３段の凸部が、上下方向において連続する２つの凹部と、上記２つの凹部の両側方に夫々配置された一対の凸部と、上記凹部に上下方向において隣接して配置された凸部とを有し、上記一対の側方対向面の他方において、上記上下方向における３段の凸部が、上下方向において連続する２つの凸部と、上記２つの凸部の上下方向において隣接して配置された凹部と、上記凹部の左右方向に隣接する凸部とを有することを特徴とする。【００１８】
請求項７記載の発明にあっては、上記２つのブロック玩具構成体は、夫々、１段目の凸部及び２段目の凸部の上下方向における半部を有する二対の側方対向面を備えていることを特徴とする。
上下３段のブロック玩具を形成する場合には、上記請求項５記載の場合の他、例えば、１段目の凸部及び２段目の凸部の上下方向における半部を有する二対の側方対向面を備えたブロック玩具構成体を上下方向で接合することにより形成することもできる。【００１９】
従って、本請求項記載の発明にあっては、より製作の自由度を有するブロック玩具を提供することができる。
請求項８記載の発明にあっては、上記上下方向における３段の凸部は、中段部において凹部を介して側面方向に対向して設けられた一対の凸部と、上記凹部に上下方向に隣接して設けられ、互いに対向する他の２つの凸部とを含むことを特徴とする。【００２０】
請求項９記載の発明にあっては、二対の側方対向面に上下方向に４段の凸部を有するブロック玩具であって、上型及び下方を使用した型成型により作製された２つのブロック玩具構成体を接合して形成されていることを特徴とする。
請求項１０記載の発明にあっては、上記２つのブロック玩具構成体は、夫々、２段の凸部を有する一対の側方対向面を備えていることを特徴とする。【００２１】
従って、側方対向面に上下４段の凸部を有するブロック玩具であっても、側方対向面に上下２つの凸部を有するブロック玩具構成体を上下方向に重ねて、相互に接着剤等により接合することで構成することができる。
本請求項では上下方向において４段の凸部を有するブロック玩具にのみ言及しているが、同様の手法により、複数のブロック玩具構成体を接合することにより、上下方向に５段以上の凸部を有するブロック玩具を作製することもできる。【００２２】
請求項１１記載の発明にあっては、上記上下方向における４段の凸部は、凹部を介して側面方向に対向して設けられた一対の凸部と、上記凹部に対して上下方向に隣接して設けられた凸部と、上記凸部に対して上下方向に隣接して設けられる凹部を介して側面方向に対向して設けられた一対の凸部と、上記凹部に対して上下方向に隣接して設けられた凸部を含むことを特徴とする。【００２３】
従って、あるブロック玩具の凸部を他のブロック玩具の凹部内に確実に挿入係止させるために、本請求項記載の発明にあっては、凸部の間に所定の間隙部を形成して、製作誤差を吸収し、凹部内に他のブロック玩具の凸部が挿入係止しやすいように構成されている。【００２４】
従って、請求項１２記載の発明にあっては、上記凸部は立方体又は直方体に形成されている。
請求項１３記載の発明にあっては、上記凸部及び凹部は同一の寸法の立方体に形成されていることを特徴とする。【００２５】
従って、請求項１３記載の発明にあっては、上記凸部及び凹部は、全て同一の縦、横、高さ寸法の立法体形状に形成されている。
従って、あるブロック玩具と他のブロック玩具とを接合して連設した場合には、複数のブロック玩具の凸部と凹部とは相互に完全に嵌合する。【００２６】
請求項１４記載の発明にあっては、上記相互に隣接する凸部の間には間隙部が形成されていることを特徴とする。
相互に隣接する凸部が、立方体又は直方体に形成されていることにより、各凸部の間に全く隙間が存在しない状態で型成型された場合には、ブロック玩具を相互に連設する際に、一方のブロック玩具の各凹部内に他方のブロック玩具の各凸部が挿入させようとしても、凹部と凸部との間に「遊び」がないことから非常に挿入し難くなる恐れがある。
また、型成型であることから、成型されたブロック玩具には各部に関し所定の製作誤差が存在することが多く、同一の規格寸法に基づき作製されていた場合であっても、あるブロック玩具の凸部が他のブロック玩具の凹部に挿入できない場合もある。【００２７】
また、請求項１５記載の発明にあっては、上記凸部は多角柱状に形成されていることを特徴とする。また、請求項１６記載の発明にあっては、上記凸部は、三角柱状に形成されていることを特徴とする。【００２８】
請求項１７記載の発明にあっては、上記凸部は、五角柱状に形成されていることを特徴とする。また、請求項１８記載の発明にあっては、上記凸部は、六角柱状に形成されていることを特徴とする。また、請求項１９記載の発明にあっては、上記凸部は、八角柱状に形成されていることを特徴とする。【００２９】
請求項２０記載の発明にあっては、上記凸部は、円柱状に形成されていることを特徴とする。
従って、ブロック玩具を相互に連設する際に、一方のブロック玩具の各凹部と他方のブロック玩具の各凸部が軸方向に沿った線接触となり、上記各凹部に上記各凸部を挿入させ易くなる。【００３０】
また、請求項２１記載の発明にあっては、上記二対の側方対向面に形成された凸部は、上方に向かって膨出する略円弧状の横断面形状の上部を有する柱状、及び下方に向かって膨出する略円弧状の横断面形状の下部を有する柱状に形成されていることを特徴とする。
従って、ブロック玩具を側面方向に相互に連設する際、上記略円弧状の横断面形状の上部若しくは下部により、接合する凹部と凸部間に間隙が形成されることで、凹部に凸部を挿入させ易くなる。【００３１】
また、請求項２２記載の発明にあっては、上記凸部は上下２段に形成され、上方側凸部は上方に向かって膨出する略円弧状の横断面形状の上部を有する柱状に形成されると共に、下方側凸部は下方に向かって膨出する略円弧状の横断面形状の下部を有する柱状に形成されることを特徴とする。
従って、請求項２記載の発明と同様に、上下の型により製造されるブロック玩具の側方面を形成する二対の側方対向面が上下２段の凸部を有することから、型成型する場合には、上下２段の凸部の、上方の凸部を上方の型により成型し、下方の凸部を下方の型により成型して上方の型と下方の型とを、上下２段の凸部の間で上型と下型とが分離されて型成形されることにより、１回の型成型で製作することができる。【００３２】
また、請求項２３記載の発明にあっては、上記凸部は上下３段に形成され、上方側凸部は上方に向かって膨出する略円弧状の横断面形状の上部を有する柱状に形成されると共に、下方側凸部は下方に向かって膨出する略円弧状の横断面形状の下部を有する柱状に形成され、中段は方体に形成されていることを特徴とする。
また請求項２４記載の発明にあっては、上記凸部は上下４段に形成され、上方側凸部は上方に向かって膨出する略円弧状の横断面形状の上部を有する柱状に形成されると共に、下方側凸部は下方に向かって膨出する略円弧状の横断面形状の下部を有する柱状に形成され、中段２列は方体に形成されていることを特徴とする。【００３３】
従って、接合する凹部と凸部間に間隙が形成されることで、凹部に凸部を挿入させ易くなると共に、中段２列は方体に形成されているため、視覚的に美しいデザインとなる。【００３４】
また、請求項２５記載の発明にあっては、上記ブロック玩具の上面部及び下面部に形成された凸部は、円柱状に形成されていることを特徴とする。
従って、ブロック玩具を上下方向に相互に接続する場合、凹部と凸部が互いに軸方向に沿った線接触となるため、凹部に凸部を挿入させ易くなる。【００３５】
請求項２６記載の発明にあっては、上記ブロック玩具の上面及び下面部に形成されている凹部と、上記二対の側方対向面に形成された凸部の、略円弧状の横断面形状を有する面の対向面には、上下方向に円筒状空隙が設けられていることを特徴とする。
従って、ブロック玩具を構成する素材の肉厚が一定となり、型抜き成型時に側方面が収縮する、いわゆる「ヒケ」が発生し難くなる。【００３６】
請求項２７記載の発明にあっては、上記ブロック玩具の上面部及び下面部に形成された凸部には、上下方向に貫通孔部が設けられていることを特徴とする。
従って、上記穴部若しくは貫通孔が設けられていることで、ブロック玩具の凸部及び凹部の弾性が増加し、型成型による若干の製造誤差があった場合であっても、有効に製造誤差を吸収して相互に接合させて連設することが可能となる。【００３７】
請求項２８記載の発明にあっては、上記ブロック玩具は、合成樹脂により形成されていることを特徴とする。また、請求項２９〜３２記載の発明にあっては、上記合成樹脂が、夫々ＡＢＳ樹脂、スチロール樹脂、ポリエチレン樹脂、及びポリプロピレン樹脂であることを特徴とする。【００３８】
請求項３３記載の発明にあっては、上型と下型とにより、６面体であって、側方面に上下２段の凸部を有するブロック玩具を製造するブロック玩具の製造方法であって、二対の側方対向面が上下２段の凸部を有し、上型により上段の凸部が作製されると共に下型により下段の凸部が作製され、上段の凸部と下段の凸部との間で上型と下型とが分離して成形されるように型成型で作製されることを特徴とするブロック玩具の製造方法である。【００３９】
請求項３４記載の発明にあっては、上記ブロック玩具は相互に係合して連設可能に形成され、各面部には複数の凸部と凹部とが設けられ、上記凹部は上記凸部に対して上方、下方及び左右方向に隣接する部位に形成されると共に上記凹部は上記凸部を収納可能な大きさに形成されていることを特徴とするブロック玩具の製造方法である。【００４０】
請求項３５記載の発明にあっては、側方面に上下２段の凸部を有するブロック玩具構成体及び側方面に上下１段以上の凸部を有するブロック玩具構成体を接合することにより側方面に上下方向に３段以上の凸部を有するブロック玩具を作製することを特徴とするブロック玩具の製造方法である。
【発明の効果】
【００４１】
請求項１記載の発明にあっては、型成型が容易であって、製作コストを低減することができる３次元方向へ連設可能なブロック玩具を提供することができる。【００４２】
請求項２記載の発明にあっては、型成型する場合には、上下２段の凸部の、上方の凸部を上方の型により成型し、下方の凸部を下方の型により成型して上方の型と下方の型とを、上下２段の凸部の間でパーティングラインが形成されるように型を上下方向において離間させて型成型を行うことにより、１回の型成型で製作することができる。【００４３】
その結果、請求項２及び３記載の発明にあっては、より型成型が容易で、迅速に作製することができるブロック玩具を提供することができる。
請求項４〜６記載の発明にあっては、上型及び下型を使用した型成型により作製された２つのブロック玩具構成体を接合して、一対の側方対向面に３段の凸部を有するブロック玩具を作製するものであり、上下方向において２段の凸部を有するブロック玩具のみならず、上下方向において３段のブロック玩具を容易に作製することができる。【００４４】
請求項７及び８記載の発明にあっては、上下３段のブロック玩具を形成する場合には、上記請求項５記載の場合の他、例えば、１段目の凸部及び２段目の凸部の幅方向における半部を有する二対の側方対向面を備えたブロック玩具構成体を上下方向で接合することにより形成することもできる。
従って、請求項７及び８記載の発明にあっては、上記請求項４記載の構成とは別の構成により上下３段の凸部を有するブロック玩具を作製することができる。その結果、上下３段の凸部を有するブロック玩具の製作の自由度を向上させることができる。【００４５】
請求項９〜１１記載の発明にあっては、二対の側方対向面に上下方向に４段の凸部を有するブロック玩具を提供することができる。
従って、６面方向に連設しうるブロック玩具の商品種類を多様化でき、様々なニーズに合わせたブロック玩具を提供することができる。【００４６】
請求項１２記載の発明にあっては、上記凸部は、方体に形成されていることから、他のブロック玩具と接合した場合に、確実に他のブロック玩具と接合しうるブロック玩具を提供することができる。
請求項１３記載の発明にあっては、上記凸部及び凹部は同一の寸法の立方体に形成されていることから、あるブロック玩具と他のブロック玩具とを接合して連設した場合には、複数のブロック玩具の凸部と凹部とは相互に完全に嵌合する。【００４７】
その結果、請求項１３記載の発明にあっては、相互に連設させた場合に、より確実に結合しうるブロック玩具を提供することができる。
請求項１４記載の発明にあっては、上記相互に隣接する凸部の間には間隙部が形成されていることから、相互に凸部と凹部とが互いに係合しやすく、型成型による若干の製造誤差があった場合であっても、有効に製造誤差を吸収して相互に連設することが可能なブロック玩具を提供することができる。
また、請求項１５〜１９記載の発明にあっては、様々な凸部形状を有し、概観品質を向上させることができ、多様な商品のニーズに対応できる各種のブロック玩具を提供することができる。
また、請求項２０記載の発明にあっては、上記凸部は、円柱状に形成されていることから、各凸部間に大きな空隙が形成され、接合時には相互に凸部と凹部とが互いに係合しやすく、型成型による若干の製造誤差があった場合であっても、有効に製造誤差を吸収して相互に連設することが可能なブロック玩具を提供することができる。【００４８】
請求項２１〜２４記載の発明にあっては、上記二対の側方対向面に形成された凸部は、上方に向かって膨出する略円弧状の横断面形状の上部を有する柱状、及び下方に向かって膨出する略円弧状の横断面形状の下部を有する柱状に形成されていることから、接合時には上記略円弧状の横断面形状の上部及び下部において空隙が形成されることによって、成型時の誤差を吸収でき、その結果凹部に凸部を挿入させ易く、より扱い易いブロック玩具を提供することができる。
また、請求項２２〜２４記載の発明にあっては、上方の凸部を上方の型により成型し、下方の凸部を下方の型により成型して上方の型と下方の型とを、上下２段の凸部の間でパーティングラインが形成されるように型を上下方向において離間させて型成型を行うことにより、１回の型成型で製作することができる。
この際、側方対向面に形成された凸部が、上方に向かって膨出する略円弧状の横断面形状の上部を有する柱状、及び下方に向かって膨出する略円弧状の横断面形状の下部を有する柱状に形成されていることから、型成型用の型の内面に鋭角的形状が生じることが無いため、上下方向における摺接による型の損傷が発生し難い。【００４９】
請求項２５記載の発明にあっては、相互に凸部と凹部とが互いに係合しやすく、型成型による若干の製造誤差があった場合であっても、有効に製造誤差を吸収して相互に連設することが可能なブロック玩具を提供することができる。【００５０】
請求項２６記載の発明にあっては、上記ブロック玩具の上面及び下面部に形成されている凹部と、上記二対の側方対向面に形成された凸部の、略円弧状の横断面形状を有する面の対向面には、上下方向に円筒状空隙が設けられていることから、ブロック玩具を構成する素材の肉厚が一定となり、型抜き成型時に側方面が収縮する、いわゆる「ヒケ」が発生し難く、製品不良率を低下させることができる。【００５１】
請求項２７記載の発明にあっては、上記ブロック玩具の上面部及び下面部に形成された凸部には、上下方向に貫通孔部が設けられていることから、凸部の弾性が増加し、型成型による若干の製造誤差があった場合であっても、有効に製造誤差を吸収して相互に連設することが可能なブロック玩具を提供することができる。【００５２】
請求項２８〜３２記載の発明にあっては、夫々所定の合成樹脂材で構成されていることから、成型が容易であり、かつ軽量で取り扱い易いブロック玩具を提供できる。【００５３】
請求項３３及び３４記載の発明にあっては、型成型が容易であって、製作コストを低減することができる３次元方向へ相互に連設可能なブロック玩具の製造方法を提供することができる。
請求項３５記載の発明にあっては、請求項３３及び３４記載の発明の効果に加えて、上下方向に３段以上の凸部を有するブロック玩具を容易に製作することができるため、商品のニーズに合わせた様々な形態のブロック玩具を提供することができる、という効果を奏する。
【発明を実施するための最良の形態】
【００５４】
以下、添付図面に示す実施の形態に基づき、上下面部の凸部が円筒形状に形成され、かつ二対の側方対向面部の凸部が、上方に向かって膨出する略円弧状の横断面形状の上部を有する柱状、及び下方に向かって膨出する略円弧状の横断面形状の下部を有する柱状に形成されている場合における、本発明に係るブロック玩具を詳細に説明する。
本発明に係るブロック玩具は、合成樹脂製であって６面体からなり、相互に係合して連設可能に形成されているブロック玩具であって、各面部には複数の凸部と凹部とが設けられ、上記凹部は上記凸部に対して上方、下方及び左右方向に隣接する部位に形成されると共に上記凹部は上記凸部を収納可能な大きさに形成され、型成型により作製されている。
以下、ブロック玩具の形態の態様に基づき、個別に説明する。【００５５】
１．基本形（上下方向に凸部が夫々２段で構成されるブロック玩具）
基本形は、側方対向面において上下方向に凸部が夫々２段で構成される態様である。
図１に示すように、本実施の形態に係るブロック玩具２０は、６面体を構成する二対の側方対向面Ａ，Ｂ，Ｃ，Ｄにおいて、凸部が上下２段に形成され、全体として各面において３個の凸部２５ａ，２５ｂ，２６、及び２５，２６ａ，２６ｂを有し、上型及び下型により上段の凸部２５と下段の凸部２６との間で上型と下型との間で分離されるように型成形がされて作製されるように構成されている。【００５６】
側方面Ａにおいては、上記上下２段の凸部２５，２６は、凹部２７を介して側面方向に対向して設けられた一対の上方凸部２５ａ，２５ｂと、上記凹部に対して上下方向において下方側に隣接して設けられた下方凸部２６とを有している。
なお、上記側方面の上方に位置する凸部２５，２５ａ，２５ｂは、上方に向かって膨出する略円弧状の横断面形状の上部Ｘ１と平面部からなる下部Ｙ１を有する柱状に、下方に位置する凸部２６，２６ａ，２６ｂは下方に向かって膨出する略円弧状の横断面形状の下部Ｘ２と平面部からなる上部Ｙ２を有する柱状に夫々形成されている。【００５７】
上記側方面Ａに対向する側方面Ｂにおいては、上記凸部と凹部の配置が逆位相となっており、上記凹部２７の位置に上方凸部２５が配置され、この上方凸部２５の直下には凹部２７が配置されると共に、この凹部２７の側面方向には一対の下方凸部２６ａ，２６ｂが一対に配置されている。【００５８】
また、同様に上記側方面Ａと上記側方面Ｂとの間の側方面Ｃにおいては、上記側方面Ｂと同一の構成配置で、凸部と凹部とが配置されている。即ち、上方凸部２５の直下には凹部２７が配置されると共に、この凹部２７の側面方向には一対の下方凸部２６ａ，２６ｂが一対に配置されている。
さらに、上記側方面Ｃに対向する側方面Ｄにあっては、上記側方面Ａの場合と同様の配置構成で凸部と凹部とが、側方面Ｃとは逆位相により配置されている。従って、上記側方面Ａと同一の構成により凸部及び凹部が配設されている。【００５９】
即ち、凹部２７を介して側面方向に対向して設けられた一対の上方凸部２５ａ，２５ｂと、上記凹部に対して上下方向において下方側に隣接して設けられた下方凸部２６とが設けられている。
また、上下方向対向面の凸部２９は、夫々円筒形状に形成され、側方面部と同様に、上下方向対向面の凸部２９と凹部２８とは互いに逆位相に配置されている。
即ち、図１乃至図３に示すように、上方面Ｅにおいては、中央に形成された凹部２８を四隅において周囲を包囲するように４個の凸部２９が形成されている。【００６０】
また、下方面Ｆにおいては、上記上方面Ｅとは逆位相に凸部と凹部とが配置されており、上記上方面Ｅにおける５箇所の凹部２８の位置には５個の凸部２９が形成されると共に、上記４個の凸部２９の位置には４個の凹部２８が形成されている。
そして、本実施の形態に係るブロック玩具２０にあっては、ブロック玩具２０の核を形成する本体３０から型成形により各凸部２５，２６，２９が突出形成されると共に、上記各凸部２５，２６，２９の間には各凹部２７，２８が形成されているが、各凸部のうち、上方面Ｅ及び下方面Ｆに配置される凸部２９は円筒形状に形成され、側方面Ａ〜Ｄに配置される凸部は、上方に向かって膨出する略円弧状の横断面形状の上部Ｘ１と平面部からなる下部Ｙ１を有する柱状に、下方に位置する凸部２６，２６ａ，２６ｂは下方に向かって膨出する略円弧状の横断面形状の下部Ｘ２と平面部からなる上部Ｙ２を有する柱状に形成された凸部２６，２６ａ，２６ｂにより形成されている。【００６１】
図４に示すように、あるブロック玩具２０の、例えば、側方面Ａに対して、本実施の形態に係るブロック玩具２０と同一の構成の他のブロック玩具２０ａの側方面Ｂを接合した場合、上記のように、凸部２５，２６ａ，２６ｂと凹部２７，２８とは長さ寸法と高さ寸法が同一に形成されていると共に、互いに対向する面において凸部２５，２６と凹部２７とは互いに逆位相に配置されていることから、上記ブロック玩具２０の凹部２７にブロック玩具２０ａ側の上方凸部２５が嵌合すると共に、凸部２６ａ，２６ｂがブロック玩具２０側の上方凸部２５ａ，２５ｂの下方に形成されている空隙部２１，２２内に配置されることから、２つのブロック玩具２０，２０ａは互いに、ブロック玩具２０の側方面Ａ及びブロック玩具２０ａの側方面Ｂにおいて接合される。【００６２】
また、この場合、上記のように各凸部２５，２５ａ，２５ｂは上方に向かって膨出する略円弧状の横断面形状の上部Ｘ１と平面部からなる下部Ｙ１を有し、凸部２６，２６ａ，２６ｂは下方に向かって膨出する略円弧状の横断面形状の下部Ｘ２と平面部からなる上部Ｙ２を有することから、上記略円弧状の横断面形状部分においては、他のブロック玩具を接合した際に、上記他のブロック玩具の凸部と線接触となるため、接合時の摩擦抵抗が小さくなり、凸部２５、２６と凹部２７との係合もスムーズに行われる。
また、上記ブロック玩具と、上記他のブロック玩具を上下方向に接合する場合は、互いの凸部が全て軸方向に沿った線接触となるため、より接合がスムーズに行われる。
従って、図４に示すように、このように、ブロック玩具２０の夫々の面に対して、例えば、同一のブロック玩具２０ａを接合することにより、連設されたブロック玩具接合体２０ｘを形成することができる。【００６３】
従って、このような要領で、ブロック玩具２０の各構成面Ａ，Ｂ，Ｃ，Ｄ，Ｅ，Ｆの６面に関し、夫々、他のブロック玩具２０ａ，２０ｂ，２０ｃ，２０ｄ，２０ｅ，２０ｆを接続することにより、図５に示すように、６面夫々に、他の同一のブロック玩具２０ａ，２０ｂ，２０ｃ，２０ｄ，２０ｅ，２０ｆを係合させて連設することにより適宜接合させることができ、様々な形象の模型を形作ることができる。【００６４】
このようなブロック玩具２０を作製する場合には、上下の型により作成することができる。
上記のように、本実施の形態に係るブロック玩具２０にあっては、上型及び下型により上方凸部２５，２５ａ，２５ｂと下方凸部２６，２６ａ，２６ｂとの間で上型と下型とにより分離して成形されるように型成型で作製される。【００６５】
即ち、上型は図１に示すブロック玩具２０の、上端部から上方凸部２５，２５ａ，２５ｂまでを形成し、下型は下端部から下方凸部２６，２６ａ，２６ｂまでを形成し、パーティングラインＰにおいて上型と下型とが上下に分離することにより型成形されるものである。【００６６】
この場合、本実施の形態に係るブロック玩具２０にあっては、多数の凸部２５，２６及び凹部２７，２１，２２，２８が存在するが、いずれの凸部２５，２６及び凹部２７，２１，２２，２８も上下方向において上型及び下型の型内表面に接触すると共に上下方向に型抜きした場合、上下方向において障害となる箇所が形成されないことから、上型と下型とにより１回の成形により作製することができる。【００６７】
なお、図６に示すとおり、ブロック玩具２０においては、凸部と凹部を側方面ＡとＢ、及びＣとＤにおいて、夫々互いに同位相に形成することもできる。【００６８】
また、図７は、本考案に係るブロック玩具の基本形の他の実施の形態である。
本実施の形態に係るブロック玩具１０にあっては、二対の側方対向面Ａ，Ｂ，Ｃ，Ｄにおいて、上下２段であって、各側面Ａ，Ｂ，Ｃ，Ｄ，Ｅ，Ｆにおいて２個の凸部１５，１６、１８、１９を有し、上型が例えば、上方の凸部１６を成型し、下型が例えば、下方の凸部１５を成型し、上段の凸部１５と下段の凸部１６との間で上型と下型との間で、上型と下型とが分離されて型製作されるように構成されている。【００６９】
本実施の形態に係るブロック玩具１０にあっては、上記のうち凸部１５は、上方に向かって膨出する略円弧状の横断面形状の上部Ｘ１と平面部からなる下部Ｙ１を有する柱状に、下方に位置する凸部１６は下方に向かって膨出する略円弧状の横断面形状の下部Ｘ２と平面部からなる上部Ｙ２を有する柱状に形成されており、これらの凸部１５，１６は前期実施の形態に係るブロック玩具２０の凸部２５，２６，２９とも同一に形成され、前期実施の形態の場合と同様に、凸部１５，１６、１８，１９は互いに対角線上に配置され、上記凸部１５及び凸部１６の間には、凹部１７が形成されている。【００７０】
そして、前期実施の形態の場合と同様に、側方対向面Ａ，Ｂ，Ｃ，Ｄ及び、上方面Ｅ及び下方面Ｆにおいて、夫々の対向面において凸部１５と凹部１７とは互いに逆位相に形成されている。
従って、本実施の形態に係るブロック玩具１０にあっては、ブロック玩具１０同士で相互に係合させることができると共に、例えば、前期実施の形態に係るブロック玩具２０に接合させてブロック玩具により構成する形象の構成要素を形成することができる。【００７１】
なお、側方面Ａ，Ｂ、Ｃ、Ｄについては、図６に示す、上記ブロック玩具２０と同様に、凸部と凹部を側方面ＡとＢ、及びＣとＤにおいて、夫々互いに同位相に形成することもできる。【００７２】
２．側方対向面において上下方向に３段の凸部を有するブロック玩具
図８に示すように、本実施の形態に係るブロック玩具３０は、上下方向に３段の凸部を有するブロック玩具に関する。
即ち、本実施の形態に係るブロック玩具３０にあっては、二対の側方対向面に上下方向における３段の凸部３１，３２，３３を有するブロック玩具であって、上型及び下型を使用した型成型により作製された２つのブロック玩具構成体４１，４２を接合することにより形成されている。【００７３】
本実施の形態に係るブロック玩具３０にあっては、上記２つのブロック玩具構成体４１，４２の内、一方のブロック玩具構成体４２は２段の凸部３２、３３を有する二対の側方対向面Ａ，Ｂ，Ｃ，Ｄを備えると共に、他方のブロック玩具構成体４１は１段の凸部３１を有する二対の側方対向面Ａ，Ｂ，Ｃ，Ｄを備えている。【００７４】
本実施の形態に係るブロック玩具３０にあっては、全体直方体に形成され、長さ方向端部面に相当する側方対向面Ａにあっては、全体として４個の凸部が形成されていると共に、長さ方向において上記側方対向面Ａに対向する側方対向面Ｂにあっては、全体として５個の凸部が形成されている。
側方対向面Ａにおいては、上記上下方向における３段の凸部は、上段部中央に形成された凸部３１と、中段部において上記凸部３１の下方に形成された凹部３６を介して左右方向に夫々形成された凸部３２ａ，３２ｂと、下段部中央において上記凹部３６の下方に形成された凸部３３とからなる。【００７５】
上記側方対向面Ａに対向する側方対向面Ｂにあっては、凸部及び凹部の配置が側方対向面Ａにおける凸部及び凹部の配置とは逆の位相で配置されている。
即ち、上記側方対向面Ａにおける上段部の凸部３１に長さ方向において対応する位置には凹部が形成されると共に上記凹部の左右両側方向には夫々凸部が形成され、上記凹部３６に対応する部位には凸部が形成され、上記凸部３２ａ，３２ｂに対応する部位には凹部が夫々形成され、上記凸部３３に対応する部位には凹部が形成されていると共に、上記凹部の左右両側方向には夫々凸部が形成されている。
なお、側方対向面Ｂに関しては、本図においては視認できないため図示されていない。【００７６】
また、幅方向両側方面である側方面Ｃ及びＤにあっては、夫々、９個の凸部及び９個の凹部が夫々、形成されている。側方面Ｃにおいては、上下３段に凸部３１，３２，３３が形成され、夫々、３個づつ配置されている。
なお、３１〜３３の形状は、側方面Ａの構成と同様である。
即ち、上段の凸部３１ａ，３１ｂ，３１ｃは、夫々、凹部３５ａ，３５ｂ，３５ｃ，３５ｄに隣接して形成されている。中段の凸部３２ａ，３２ｂ，３２ｃは、夫々、上記凹部３５ａ，３５ｂ，３５ｃの下方に配置されている。
上記中段の凸部３２ａ，３２ｂ，３２ｃは、夫々、凹部３６ａ，３６ｂ，３６ｃに隣接して配置されている。【００７７】
また、下段の凸部３３ａ，３３ｂ，３３ｃは、上記３６ａ，３６ｂ，３６ｃの下方において配置されている。従って、側方面Ｃと幅方向反対側の側方面Ｄにおいては、上記側方面Ｃの凸部３１，３２，３３及び凹部３５，３６の配置とは正反対の配置で凸部及び凹部が形成されている。【００７８】
また、上方面Ｅにおいては、同様に９個の凸部３８が形成されている。この凸部３８は、ブロック玩具３０の幅方向に沿って、３個づつ３列に形成されている。
幅方向第一列目の凸部３８ａ及び第三列目の凸部３８ｃは、夫々、側方面Ｃの上段の凸部３１ａ，３１ｂ，３１ｃと長さ方向における同一の部位に配置されている。上記第一列目と第三列目との間には上記凸部３８ａ、３８ｃに隣接して凹部３９が夫々形成されており、上記凹部３９に長さ方向に隣接して第二列目の凹部４０が配置されている。【００７９】
また、下方面Ｆにおいては、上記上方面Ｅにおける凸部３８及び凹部３９の配置とは逆の位相により凸部及び凹部が配置されている。なお、下方面Ｆに関して、本図においては視認できないため図示は省略する。
そして、前記実施の形態に係るブロック玩具２０の場合と同様に、各凸部のうち、上方面及び下方面に配置された凸部３８は円筒形状に形成され、側方面Ａ〜Ｄの上段部に配置された凸部３１は、上方に向かって膨出する略円弧状の横断面形状の上部Ｘ１と平面部からなる下部Ｙ１とを有する柱状に形成され、下段部に配置された凸部３３は、下方に向かって膨出する略円弧状の横断面形状の下部Ｘ２と平面部からなる上部Ｙ２を有する柱状に形成され、中段部に配置された凸部３２は立方体により形成されている。上記各凸部３１，３２，３３，３８及び各凹部３４，３５，３６，３９の大きさ寸法は、前記実施の形態に係るブロック玩具２０、１０の場合と同一に形成されている。【００８０】
このようにして構成されたブロック玩具３０は、図９に示すように、ブロック玩具構成体４１及びブロック玩具構成体４２を、ブロック玩具構成体４１の裏面側４１ａ及びブロック玩具構成体４２の上面側４２ａを適宜、接着剤により接着することにより作製されている。図８に示すように、双方の構成体４１，４２の接合線Ｐが側方対向面において上段と中段との間に形成される。【００８１】
上記ブロック玩具構成体４１にあっては、長さ方向の側方対向面において１段の凸部３１を有し、ブロック玩具構成体４２にあっては、側方対向面において３個からなる２段の凸部３２，３３を有している。
従って、本実施の形態に係るブロック玩具３０にあっては、側方対向面において上下方向に３段の凸部及び凹部が長さ方向に沿って互い違いに設けられていることから、前記実施の形態に係るブロック玩具１０，２０のように上型と下型とにより上下方向において型抜きはできない。【００８２】
しかしながら、図９に示すように、ブロック玩具構成体４１及びブロック玩具構成体４２であれば、前記実施の形態に係るブロック玩具１０，２０の場合と同様に、上型及び下型の１回の型抜きで、ブロック玩具構成体４１及びブロック玩具構成体４２を作製することができる。
従って、作製されたブロック玩具構成体４１及びブロック玩具構成体４２を上記のように接合することにより、型成形では作製不可能な、側方対向面において上下方向に３段の凸部及び凹部を相互に互い違いの位置に有するブロック玩具３０を作製することができる。【００８３】
このように構成されたブロック玩具３０は、前記ブロック玩具２０の場合と同様に、ブロック玩具３０同士で互いに凸部と凹部とを係合させて接合することができると共に、前記ブロック玩具２０，１０とも、凸部及び凹部の大きさ寸法が同一であることから、相互に接合することができる。【００８４】
図１０及び図１１は、上記図８及び図９に示すブロック玩具３０と同様に、側方対向面において上下方向に３段の凸部を有するブロック玩具を示す。
しかしながら、本実施の形態に係るブロック玩具５０にあっては、中段の凸部において上下方向に２分割する部位において、上下方向に接合された２つのブロック玩具構成体５１，５２により形成されている点で前記ブロック玩具３０とは異なる。【００８５】
本実施の形態に係るブロック玩具５０にあっては、６面体を構成する二対の側方対向面Ａ，Ｂ，Ｃ，Ｄにおいて、凸部が上下３段に形成され、夫々の対向面では、４個の凸部及び５個の凸部が設けられている。
即ち、図１０に示すように、側方面Ａにおいては、２個の上段の凸部５１、５１が設けられ、これらの凸部５１，５１の間には凹部５２が形成されている。上記凹部５２の下方には中段の凸部５３が形成されており、この中段の凸部５３の両側方には凹部５６，５６が形成されると共に、下方には凹部５４が形成され、この凹部５４の幅方向両側には凸部５５，５５が設けられている。【００８６】
上記側方面Ａに対向する側方面Ｂにおいては、上記凸部及び凹部は逆位相により形成されていることから、上記凹部５２，５４，５６の部位には凸部が夫々形成されると共に、上記凸部５１，５３，５５の部位には凹部が夫々形成されている。なお、側方面Ｂはこの状態において視認不可能であることから図示は省略する。【００８７】
同様に、側方面Ｃにおいては、上段の凸部５７が設けられ、この凸部５７の両側には凹部５８，５８が形成されている。上記凸部５７の下方には凹部５９が形成され、この凹部５９の両側には中段の凸部６０，６０が設けられている。
また、上記凹部５９の下方には下段の凸部６１が設けられており、この凸部６１の両側方には凹部６２，６２が形成されている。
また、側方面Ｃに対向する側方面Ｄにおいては、上記事情と同様に、上記凸部及び凹部は逆位相により形成されていることから、上記凹部５８，５９，６２に対向する部位には夫々凸部が形成されると共に、上記凸部５７，６０，６１に対向する部位には夫々凹部が形成されている。なお、側方面Ｄはこの状態において視認不可能であることから図示は省略する。
なお、各側方面の上下方向３段の凸部５１，５３，５５、５７，６０、６１の形状は、上記図８におけるブロック玩具３０と同様に上段に配置された凸部５１，５７は、上方に向かって膨出する略円弧状の横断面形状の上部Ｘ１と平面部からなる下部Ｙ１とを有する柱状に形成され、下段部に配置された凸部５５，６１は、下方に向かって膨出する略円弧状の横断面形状の下部Ｘ２と平面部からなる上部Ｙ２を有する柱状に形成され、中段部の凸部５３，６０については立方体に形成されている。【００８８】
また、上下方向対向面Ｅ，Ｆにおいても同様に、凸部と凹部とは互いに逆位相に配置されている。即ち、上方面Ｅにおいては、全体として５個の凸部が形成されている。即ち、中央に形成された凸部６３の四隅部を包囲するように４個の凸部６４が形成されており、上記中央の凸部６３の各辺の周囲には４つの凹部６５が形成されている。【００８９】
また、下方面Ｆにおいては、上記上方面Ｅとは逆位相に凸部と凹部とが配置されており、上記上方面Ｅにおける５個の凸部６３，６４の位置には５個の凹部が形成されると共に、上記４個の凹部６５の位置には４個の凸部が形成されている。下方面Ｆは視認できないことから詳細な図示は省略する。なお、各凸部及び各凹部の大きさ寸法に関する要件は前記図８及び図９に示す実施の形態に係るブロック玩具３０の場合と同様である。【００９０】
そして、このように構成されたブロック玩具５０は、図１１に示すように、ブロック玩具構成体５１及びブロック玩具構成体５２を、ブロック玩具構成体５１の裏面側５１ａ及びブロック玩具構成体５２の上面側５２ａを適宜、接着剤により接着することにより作製されている。
図１０に示すように、この場合の双方の構成体５１，５２の接合線Ｐ１が側方対向面において中段の凸部６０の上下方向中間部に表示される。【００９１】
前記実施の形態に係るブロック玩具構成体４１，４２とは異なり、上記ブロック玩具構成体５１，５２は、同一の大きさに形成され、いずれも、側方面において、上下方向に１段と半分の段部の凸部を有している。
従って、本実施の形態に係るブロック玩具５０にあっては、側方対向面において上下方向に３段の凸部５１，５３，５５，５７，６０，６１が長さ方向に沿って互い違いに設けられていることから、前記実施の形態に係るブロック玩具１０，２０のように上型と下型とにより上下方向において型抜きはできない。【００９２】
しかしながら、図１１に示すように、ブロック玩具構成体５１及びブロック玩具構成体５２であれば、前記実施の形態に係るブロック玩具１０，２０の場合と同様に、上型及び下型の１回の型抜きで、ブロック玩具構成体５１及びブロック玩具構成体５２を作製することができる。
従って、作製されたブロック玩具構成体５１及びブロック玩具構成体５２を上記のように接合することにより、型成形では作製不可能な、側方対向面において上下方向に３段の凸部及び凹部を相互に互い違いの位置に有するブロック玩具５０を作製することができる。【００９３】
従って、このように構成されたブロック玩具５０は、前記ブロック玩具２０，３０の場合と同様に、ブロック玩具５０同士で互いに凸部と凹部とを係合させて接合することができると共に、前記ブロック玩具２０，１０，３０とも、凸部及び凹部の大きさ寸法が同一であることから、相互に接合することができる。【００９４】
なお、本例においても、図６に示す、上記ブロック玩具２０と同様に、凸部と凹部を側方面ＡとＢ、及びＣとＤにおいて、夫々互いに同位相に形成することもできる。
【００９５】
３．側方対向面において上下方向に４段の凸部を有するブロック玩具
図１２及び図１３に示すように、上記の手法により、側方対向面において上下方向に４段の凸部を有するブロック玩具を作製することもできる。
即ち、本実施の形態に係るブロック玩具７０は、二対の側方対向面Ａ，Ｂ，Ｃ，Ｄに上下方向に４段の凸部を有するブロック玩具であって、上型及び下型を使用した型成型により作製された２つのブロック玩具構成体７１，７２を接合して形成されている。【００９６】
そして、上記２つのブロック玩具構成体７１，７２は、夫々、２段の凸部７４，７５，７７，７８，８０，８２を有する一対の側方対向面Ａ，Ｂ，Ｃ，Ｄを備えている。
上記上下方向における４段の凸部は、上方に向かって膨出する略円弧状の横断面形状の上部Ｙ１と平面部からなる下部Ｙ１を有する柱状に形成された最上段の凸部７４と、下方に向かって膨出する略円弧状の横断面形状の下部Ｘ２と平面部からなる上部Ｙ２とを有する柱状に形成された最下段の凸部７８，８２及び、立方体形状の中段凸部７５、７７，８０から形成され、上段において凹部７３を介して側面方向に対向して設けられた一対の凸部７４，７４と、上記凹部７３の下方に隣接して設けられた上方中段の凸部７５と、上記上方中段の凸部７５の下方に隣接して設けられる凹部７６を介して側面方向に対向して設けられた一対の下方中段の凸部７７，７７と、上記凹部７６の下方に隣接して設けられた下段の凸部７８とを含んでいる。【００９７】
本実施の形態にあっては、ブロック玩具７０の側方面Ａにおいては、全体として８個の凸部が形成されており、上段の凸部７４の側方には凹部８６が形成され、上記上方中段の凸部７５の側方には凹部７９が形成され、この凹部７９を介してその側方には凸部８０が形成されている。
従って、上方中段においては、凸部７５及び凸部８０が形成されている。
また、下方中段の凸部７７の側方には凹部８５が形成され、下段の凸部７８の側方には凹部８１が形成され、この凹部８１を介して凸部８２が形成され、上記上方中段においては凸部７５の側方には凹部８３が形成され、上記凸部７８の側方には凹部８４が形成されている。【００９８】
そして、上記実施の形態に係るブロック玩具５０の場合と同様に、上記側方面Ａに対向する側方面Ｂにおいては、上記凸部及び凹部は逆位相により形成されていることから、上記凹部７３，７６，７９，８１，８３，８４，８５，８６に対応する部位には凸部が夫々形成されると共に、上記凸部７４，７５，７７，７８，８０，８２に対応する部位には凹部が夫々形成されている。なお、視認不可能であることから図示は省略する。【００９９】
同様に、側方面Ｃにおいては、上記側方面Ａと左右線対称の状態で凸部及び凹部が形成されている。そして、側方面Ｃに対向する側方面Ｄにおいては、上記同様に側方面Ｃの凸部及び凹部とは逆位相により凸部及び凹部が形成されている点に関しては前記実施の形態と同様である。
また、上下方向対向面Ｅ，Ｆにおいても同様に、凸部と凹部とは互いに逆位相に配置され、上方面Ｅにおいては、全体として８個の凸部が形成されている。即ち、幅方向に沿って４列の凸部８７が形成され、これらの凸部８７の間には夫々隣接して凹部８８が形成されている。【０１００】
また、下方面Ｆにおいては、上記上方面Ｅとは逆位相に凸部と凹部とが配置されている。下方面Ｆは視認できないことから詳細な図示は省略する。なお、各凸部及び各凹部の形状、大きさ寸法に関する要件は前記実施の形態に係るブロック玩具３０の場合と同様である。
そして、このように構成されたブロック玩具７０は、図１３に示すように、ブロック玩具構成体７１及びブロック玩具構成体７２を、ブロック玩具構成体７２の裏面側７２ａ及びブロック玩具構成体７１の上面側７１ａを適宜、接着剤により接着することにより作製されている。【０１０１】
従って、本実施の形態に係るブロック玩具７０にあっては、側方対向面Ａ，Ｂ，Ｃ，Ｄにおいて上下方向に４段の凸部７４，７５，７７，７８，８０，８２及び凹部７３，７６，７９，８１，８３，８４，８５，８６，８８が長さ方向に沿って互い違いに設けられていることから、前記実施の形態に係るブロック玩具１０，２０のように上型と下型とにより上下方向において型成形はできない。
しかしながら、図１３に示すように、ブロック玩具構成体７１及びブロック玩具構成体７２であれば、前記実施の形態に係るブロック玩具１０，２０の場合と同様に、上型及び下型の１回の型抜きで、ブロック玩具構成体７１及びブロック玩具構成体７２を作製することができる。【０１０２】
従って、作製されたブロック玩具構成体７１及びブロック玩具構成体７２を上記のように接合することにより、型成形では作製不可能な、側方対向面において上下方向に４段の凸部及び凹部を相互に互い違いの位置に有するブロック玩具７０を作製することができる。
従って、このように構成されたブロック玩具７０は、前記ブロック玩具２０，３０，５０の場合と同様に、ブロック玩具７０同士で互いに凸部と凹部とを係合させて接合することができると共に、前記ブロック玩具２０，１０，４０、５０とも、凸部及び凹部の大きさ寸法が同一であることから、相互に接合することができる。【０１０３】
なお、本例においても、図６に示す、上記ブロック玩具２０と同様に、凸部と凹部を側方面ＡとＢ、及びＣとＤにおいて、夫々互いに同位相に形成することもできる。【０１０４】
４．バリエーション
（１）上記第一の実施の形態に係るブロック玩具にあっては、６面体を構成する二対の側方対向面Ａ，Ｂ，Ｃ，Ｄにおいて、凸部が上下２段に形成され、全体として各面において３個の凸部２５ａ，２５ｂ，２６、及び２５，２６ａ，２６ｂを有する場合を例に説明したが、凸部が上下２段に形成される場合であっても、上記実施の形態に限定されることなく、例えば、図１４に示すブロック玩具９０のように、一対の側方面Ａ，Ｂのみが３個の凸部により形成され、他の一対の対向する側方面Ｃ，Ｄが多数個の凸部２５，２６ａ，２６ｂにより形成されていてもよい。図１４に示す実施の形態にあっては、一対の側方面Ｃ，Ｄは、夫々、７個の凸部により形成されている。【０１０５】
このような、側方面を構成する凸部及び凹部の個数に関しては、側方面が２段の凸部により構成されている場合には、上型及び下型の幅寸法及び長さ寸法を設計変更することにより対応することができることから、容易に型成形により形成することができ、様々な長さの上下２段からなる凸部を有するブロック玩具を作製して、様々な用途に適用することができる。【０１０６】
（２）また、図１５に示すように、上記各実施の形態に係るブロック玩具２０等を型成形する場合に、上記ブロック玩具２０の上面及び下面部に形成されている凹部と、上記二対の側方対向面Ａ，Ｂ及びＣ、Ｄに形成された凸部２５、２６において、略円弧状の横断面形状を有する面の対向面には、上下方向に円筒状空隙８９を形成することもできる。
このようにして円筒状空隙８９を形成してブロック玩具を型成形にした場合には、各凸部を中実の状態で型成形した場合には、型抜きをした場合に、いわゆる「ヒケ」と称する事態が生じ、凸部各側方面が収縮してしまい、平滑な側方面を形成することが困難な場合があるが、このように円筒状空隙部８９を形成した場合には、そのような「ヒケ」の事態を防止して、平滑な側方面を有する凸部を備えた外観品質の高いブロック玩具を提供することができる。
また、同時に、材料となる合成樹脂の量を減らして製作コストを低減することができる。
また、図１６に示すように、上記各実施の形態に係るブロック玩具２０を型成型する場合に、上面部及び下面部に形成された凸部２９に、上下方向に貫通孔部８９ｂを形成することもできる。
上記構成とすることにより、凸部２９の弾性が増加し、型成型による若干の製造誤差があった場合であっても、有効に製造誤差を吸収して相互に連設することが可能なブロック玩具を提供することができる。【０１０７】
（３）また、図１７〜２０に示すように、上方面及び下方面に形成される凸部の形状を適宜変更することもできる。
また、側方面に形成される凸部の形状についても、円柱状の他、三角柱、方形、立方体、五角柱、六角柱、八角柱等の多角形柱状に適宜変更することができる。【０１０８】
例えば、図１７に示すように、前記第一の実施の形態に係るブロック玩具２０と基本的に同様の形状のブロック玩具９３において、上方面に設けられる凸部９２を、三角柱状に型成形することもでき、さらに、図１８に示すように、上方面及び下方面において六角柱状の凸部９２を型成形したブロック玩具９４を作製することもできる。
このように、上方面及び下方面に設けられる凸部の形状に関しては、上型及び下型の成形側面の形状を適宜変更することにより型成形することができるため、様々な形状の凸部を上方面及び下方面に有するブロック玩具を作製することができる。【０１０９】
さらに、図１９に示すように、各６面のすべてにおいて、円柱状の凸部を有するブロック玩具を型成形により作製することもできる。図１８に示すブロック玩具１０１においては、前記第一の実施の形態に係るブロック玩具２０を基礎として、全ての凸部の形状を円柱状にして構成したものである。
上記図１７〜図２０に示す態様のブロック玩具９３，９４，１０１においては、各種形状の凸部９２，９３，９５は、図１〜１４に示す実施の形態に係るブロック玩具の凸部１８，１９，２５，２６，２９，３１，３２，３３，３８，３９，５１，５３，５５，７４，８０，８２，８７，８８と同一の寸法に形成されている。
従って、いずれの形状のブロック玩具１０，２０，３０，５０，７０，９０，９３，９４，１０１であっても凸部の大きさ寸法は全て同一であることから相互に嵌合が可能であり、多様な組み合わせによる形象の構成を行うことができる。【０１１０】
また、図２０に示すように、前記第１の実施の形態に係るブロック玩具２０において、６面全ての凸部を、同一寸法Ｌを有する立方体により形成することもできる。
上記の場合は、図２１、図２２に示すように凸部２５，２６の間に若干の空隙部Ｓが形成されることによって、凸部２５，２６の凹部２７との係合がスムーズに行われる。
また、他の実施例おける各ブロック玩具１０，３０、５０，７０においても、上記と同様に、全ての凸部を立方体にて形成し、同一面に形成された各凸部のい間に間隙部を設けることで、同様の作用効果を得ることができる。【０１１１】
本実施の形態に係るブロック玩具１０１を作製する場合にも、ブロック玩具２０の場合と同様に、二対の側方対向面Ａ，Ｂ，Ｃ，Ｄにおいて、凸部９５が上下２段に形成されていることから、第一の実施の形態に係るブロック玩具２０の場合と同様に、型成形する場合には上型及び下型によって、一回の型抜きにより作製することができる。【０１１２】
但し、本実施の形態に係るように、側円柱状凸部９５を有するブロック玩具１０１を上型及び下型により型成形する場合には、図２３に示すように、夫々の型９６，９７の、例えば、側方面Ｃ，Ｄにおいて、互いに、円柱状凸部９５ａ，９５ｂ，９５ｂの上下方向半分を一方の型９６，９７が夫々成型することとなることから、下型９７の上方側凸部９５ａの下方部９８を成形する部位９９及び、上型９６の下方側凸部９５ｂの上方側内方部２３を成形する部位１００は、いずれも側方半円状の型断面を有することから、鋭角的な型先端部を有することとなる。【０１１３】
この場合、上型９６及び下型９７の型成型時における双方の型の離合の際の上下方向における摺接による型の損傷を考慮した場合、図２４に示すように、上記部位９９，１００に所定の厚さ寸法を持たせ、型の離合の際の上下方向における摺接による剛性を保持させるように構成した場合には、経年時においても上型９６及び下型９７の上記部位９９，１００の損傷の少ない型を提供することができる。【０１１４】
この場合、上記円柱状凸部９５ａ，９５ｂ，９５ｂは完全な円柱ではなく、
上方側凸部９５ａにあっては、下方両側部が切除された形状となると共に、下方側凸部９５ｂ，９５ｂにあっては、内方側上部が夫々切除された形状となる。【０１１５】
また、前記第一の実施の形態に係るブロック玩具２０の型成型時における、上下夫々の型断面形状を図２５に、上記ブロック玩具２０の側方面に形成される凸部の形状が、立方体、三角柱、五角柱、六角柱、八角柱の場合における上下夫々の型断面形状を夫々図２６〜図３０に示す。
図２５〜２７に示すように、側方面に形成される凸部の形状が、前記第一の実施例の場合、及び三角柱若しくは立方体の場合は、上型９６及び下型９７に、鋭角的な型先端部が生じることが無いため、型作成が容易であると共に、経年による型損傷が生じにくい。
一方、図２８〜３０のように、側方面に形成される凸部の形状が、五角柱、六角柱、及び八角柱の場合は、凸部形状が円柱状の場合と同様に、側方面Ｃ，Ｄにおいて、凸部の上下方向半分を一方の型９６，９７が夫々成型することとなることから、下型９７の上方側凸部９５ａの下方部９８を成形する部位９９及び、上型９６の下方側凸部９５ｂの上方側内方部２３を成形する部位１００は、いずれも、鋭角的な型先端部を有することとなる。
【産業上の利用可能性】
【０１１６】
本発明は、広く型成型により製作されるブロック玩具及びその製造方法に適用することができる。
【図面の簡単な説明】
【０１１７】
【図１】本発明に係るブロック玩具の一実施の形態であって、基本形を示す斜視図である。
【図２】本発明に係るブロック玩具の一実施の形態であって、基本形を示す平面図である。
【図３】本発明に係るブロック玩具の一実施の形態であって、基本形を示す底面図である。
【図４】本発明に係るブロック玩具の一実施の形態であって、２個の基本形を側方対向面において接合する状態を示す説明図である。
【図５】本発明に係るブロック玩具の一実施の形態に係る基本形を用いて、６面方向にブロック玩具を接合する状態を仮想線で示す斜視図である。
【図６】本発明に係るブロック玩具の一実施の形態であって、対向する側方面の凸部及び凹部を同位相に形成した場合の実施の形態を示す斜視図である。
【図７】本発明に係るブロック玩具の一実施の形態であって、基本形の他の実施の形態を示す斜視図である。
【図８】本発明に係るブロック玩具の他の実施の形態であって、対向側方面において上下３段の凸部を有する態様を示す斜視図である。
【図９】本発明に係るブロック玩具の他の実施の形態であって、対向側方面において上下３段の凸部を有する態様を示し、上下方向に２つのブロック玩具構成体を接合して作製する場合を分解して示す斜視図である。
【図１０】本発明に係るブロック玩具の実施の形態であって、対向側方面において上下３段の凸部を有する態様の他の実施の形態を示す斜視図である。
【図１１】本発明に係るブロック玩具の実施の形態であって、対向側方面において上下３段の凸部を有する態様の他の実施の形態を示し、上下方向において２つのブロック玩具構成体を接合して作製する状態を示す斜視図である。
【図１２】本発明に係るブロック玩具の他の実施の形態であって、対向側方面において上下４段の凸部を有する態様の実施の形態を示す斜視図である。
【図１３】本発明に係るブロック玩具の実施の形態であって、対向側方面において上下４段の凸部を有する態様の実施の形態を示し、上下２つのブロック玩具構成体を接合してブロック玩具を作製する状態を分解して示す斜視図である。
【図１４】本発明に係るブロック玩具の一実施の形態であって、基本形の他の実施の形態を示す斜視図である。
【図１５】本発明に係るブロック玩具の一実施の形態であって、基本形の他の実施の形態を示す斜視図である。
【図１６】本発明に係るブロック玩具の一実施の形態であって、基本形の他の実施の形態を示す斜視図である。
【図１７】本発明に係るブロック玩具の一実施の形態であって、基本形の他の実施の形態を示す斜視図である。
【図１８】本発明に係るブロック玩具の一実施の形態であって、基本形の他の実施の形態を示す斜視図である。
【図１９】本発明に係るブロック玩具の一実施の形態であって、基本形の他の実施の形態を示す斜視図である。
【図２０】本発明に係るブロック玩具の一実施の形態であって、基本形の他の実施の形態を示す斜視図である。
【図２１】本発明に係るブロック玩具の一実施の形態であって、図２０に示すブロック玩具の平面図である。
【図２２】本発明に係るブロック玩具の一実施の形態であって、図２０に示すブロック玩具の底面図である。
【図２３】図１９に示すブロック玩具を型成型する場合の上型及び下型の型断面を示す断面図である。
【図２４】図１９に示すブロック玩具を型成型する場合の上型及び下型の型断面の他の実施の形態を示す断面図である。
【図２５】本発明に係るブロック玩具の一実施の形態において、側方面部の凸部が上方に向かって膨出する略円弧状の横断面形状の上部を有する柱状、及び下方に向かって膨出する略円弧状の横断面形状の下部を有する柱状に形成されている場合の上型及び下型の型断面の実施の形態を示す断面図である。
【図２６】本発明に係るブロック玩具の一実施の形態において、側方面部の凸部が立方体に形成されている場合の上型及び下型の型断面の実施の形態を示す断面図である。
【図２７】本発明に係るブロック玩具の一実施の形態において、側方面部の凸部が三角柱状に形成されている場合の上型及び下型の型断面の実施の形態を示す断面図である。
【図２８】本発明に係るブロック玩具の一実施の形態において、側方面部の凸部が五角柱状に形成されている場合の上型及び下型の型断面の実施の形態を示す断面図である。
【図２９】本発明に係るブロック玩具の一実施の形態において、側方面部の凸部が六角柱状に形成されている場合の上型及び下型の型断面の実施の形態を示す断面図である。
【図３０】本発明に係るブロック玩具の一実施の形態において、側方面部の凸部が八角柱状に形成されている場合の上型及び下型の型断面の実施の形態を示す断面図である。
【符号の説明】
【０１１８】
１０  ブロック玩具    
１５  凸部
１６  凸部
１７  凹部
１８  凸部
１９  凸部
２０  ブロック玩具
２１  凹部
２２  凹部
２５  凸部
２５ａ  凸部
２５ｂ  凸部
２６  凸部
２６ａ  凸部
２６ｂ  凸部
２７  凹部
２８  凹部
２９  凸部
３０  ブロック玩具本体
３１  凸部
３２  凸部
３３  凸部
３５  凹部
３６  凹部
３７  凸部
３８  凸部
３９  凹部
４１  ブロック玩具構成体
４２  ブロック玩具構成体
４４  凸部
４５  凹部
５０  ブロック玩具
５１  ブロック玩具構成体
５１ａ  裏面側  
５２  ブロック玩具構成体
５２ａ  上面側
５３  凸部
５４  凹部
５５  凸部
５６  凹部
５７  凸部
５８  凹部
５９  凹部
６０  凸部
６１  凸部
６２  凹部
６３  凸部
６４  凸部
７０  ブロック玩具
７１  ブロック玩具構成体
７１ａ  上面側
７２  ブロック玩具構成体
７２ａ  裏面側
７３  凹部
７４  凸部
７５  凸部
７６  凹部
７７  凸部
７８  凸部
７９  凹部
８０  凸部
８１  凹部
８２  凸部
８３  凹部
８４  凹部
８５  凹部
８６  凹部
８７  凸部
８９  空隙部
８９ｂ貫通孔
９０  ブロック玩具
９１  円柱状凸部
９２  凸部
９３  ブロック玩具
９４  ブロック玩具
９５  凸部
９５ａ  凸部
９５ｂ  凸部
９６  上型
９７  下型
９８  下方部
９９    下型の上方側凸部の下方部を成型する部位
１００  上型の下方側凸部の上方側内方部を成形する部位
１０１  ブロック玩具
Ａ  側方面（側方対向面）
Ｂ  側方面（側方対向面）
Ｃ  側方面（側方対向面）
Ｄ  側方面（側方対向面）
Ｅ  上方面
Ｆ  下方面
Ｐ  接合線
Ｐ１  接合線
【図１】
2008032434.tif 000003
【図２】
2008032434.tif 000004
【図３】
2008032434.tif 000005
【図４】
2008032434.tif 000006
【図５】
2008032434.tif 000007
【図６】
2008032434.tif 000008
【図７】
2008032434.tif 000009
【図８】
2008032434.tif 000010
【図９】
2008032434.tif 000011
【図１０】
2008032434.tif 000012
【図１１】
2008032434.tif 000013
【図１２】
2008032434.tif 000014
【図１３】
2008032434.tif 000015
【図１４】
2008032434.tif 000016
【図１５】
2008032434.tif 000017
【図１６】
2008032434.tif 000018
【図１７】
2008032434.tif 000019
【図１８】
2008032434.tif 000020
【図１９】
2008032434.tif 000021
【図２０】
2008032434.tif 000022
【図２１】
2008032434.tif 000023
【図２２】
2008032434.tif 000024
【図２３】
2008032434.tif 000025
【図２４】
2008032434.tif 000026
【図２５】
2008032434.tif 000027
【図２６】
2008032434.tif 000028
【図２７】
2008032434.tif 000029
【図２８】
2008032434.tif 000030
【図２９】
2008032434.tif 000031
【図３０】
2008032434.tif 000032
【国際調査報告】
2008032434.tif 000033
2008032434.tif 000034
2008032434.tif 000035
2008032434.tif 000036